(57)【要約】【課題】  記録ディスクに局部的な圧力が加わることなく、記録ディスク全体を露出させずに収納することができるジャケットを表紙とした中綴じ冊子を提供すること。【解決手段】  記録ディスクＤを収納するジャケット２を表紙として本文３が中綴じられて中綴じ冊子１であって、ジャケット２は、一方向に連接される第１〜第３紙片体４，５，６を有しており、第１紙片体４が第２紙片体５に対して折り返され、第１紙片体４と第２紙片体５とが上下の接着領域４ａ，５ａで接着されて記録ディスクＤを収納するためのポケット状の収納部が形成されており、第１紙片体４には記録ディスクＤを取り出すためのジッパー９，１１が形成されており、本文３は、ジャケット２における第２紙片体５と第３紙片体６との境界で中綴じされている。【選択図】  図１
2008155445.tif 000002
【特許請求の範囲】
【請求項１】
記録ディスクを収納するジャケットを表紙として本文が中綴じされた中綴じ冊子であって、前記ジャケットは、一方向に連接される第１〜第３紙片体を有しており、第１紙片体が第２紙片体に対して折り返され、第１紙片体と第２紙片体とが上下の接着領域で接着されて記録ディスクを収納するためのポケット状の収納部が形成されており、第１紙片体には記録ディスクを取り出すためのジッパーが形成されており、前記本文は、前記ジャケットにおける第２紙片体と第３紙片体との境界で中綴じされていることを特徴とする中綴じ冊子。
【請求項２】
第１紙片体の端部における上下の接着領域の間に、第２紙片体側に折曲げられるフラップが延設されていることを特徴とする請求項１に記載の中綴じ冊子。
【請求項３】
収納部に記録ディスクが収納された状態で、第１紙片体の端部が第２紙片体に接着されていることを特徴とする請求項１に記載の中綴じ冊子。
【請求項４】
第３紙片体は、本に貼付される紙片又は本に綴じ込まれる紙片を有することを特徴とする請求項１〜３のいずれかに記載の中綴じ冊子。
【発明の詳細な説明】
【技術分野】
【０００１】
本発明は、ＣＤ、ＤＶＤ等の円盤状をした記録ディスクを収納することができる中綴じ冊子に関するものである。
【背景技術】
【０００２】
従来より、一枚の用紙から作製される、ＣＤやＤＶＤ等の円盤状の記録ディスクを収納するジャケットとしては、長方形状の用紙を縦方向や横方向に折り込んで、記録ディスクを収納するものがある（例えば、特許文献１）。また、記録ディスクを収納するジャケットを表紙として本文を中綴じするものもある（例えば、特許文献２）。
【特許文献１】特開２０００−７０７４号公報
【特許文献２】特開２００１−２４０１７１号公報
【発明の開示】
【発明が解決しようとする課題】
【０００３】
上記した特許文献１，２に示すジャケットは、ＣＤが帯状に折り曲げられる紙片に形成した切込みに係止されるように構成されており、しかも、その状態ではＣＤがむき出しになっている。このような収納状態では、情報がピックアップされる側のＣＤ表面が切込みに一定の応力をもって接触しており、また、むき出しになっている領域があるため、搬送中や取扱い時に傷が付き易いという問題点がある。
【０００４】
本発明は、このような問題点に鑑みてなされたものであり、記録ディスクに局部的な圧力が加わることなく、記録ディスク全体を露出させずに収納することができるジャケットを表紙とした中綴じ冊子を提供することを目的とする。
【課題を解決するための手段】
【０００５】
本発明に係る中綴じ冊子は、記録ディスクを収納するジャケットを表紙として本文が中綴じされた中綴じ冊子であって、前記ジャケットは、一方向に連接される第１〜第３紙片体を有しており、第１紙片体が第２紙片体に対して折り返され、第１紙片体と第２紙片体とが上下の接着領域で接着されて記録ディスクを収納するためのポケット状の収納部が形成されており、第１紙片体には記録ディスクを取り出すためのジッパーが形成されており、前記本文は、前記ジャケットにおける第２紙片体と第３紙片体との境界で中綴じされていることを特徴とする。
【０００６】
この中綴じ冊子によれば、第１紙片体と第２紙片体の上下の接着領域で接着されてポケット状に形成された収納部に記録ディスクが収納されるため、記録ディスクには局部的な圧力がかかることもなく、記録ディスク全体を露出させずに収納することができる。また、第１紙片体に形成されたジッパーを剥がすことにより、記録ディスクを取り出すことができる。また、ジャケットに中綴じされた本文には、記録ディスクに記録された情報に関連する情報を表示することもできる。
【０００７】
このような中綴じ冊子において、第１紙片体の端部における上下の接着領域の間に、第２紙片体側に折曲げられるフラップが延設されているとよい。第１紙片体から延設されたフラップが第２紙片体側に折曲げられていることで、記録ディスクが収納部から脱落しないようにすることができる。
【０００８】
あるいは、収納部に記録ディスクが収納された状態で、第１紙片体の端部が第２紙片体に接着されているようにしてもよい。この場合も、記録ディスクは収納部に封じられ、脱落しなくなる。
【０００９】
また、第３紙片体は、本に貼付される紙片又は本に綴じ込まれる紙片を有するとよい。この構成により、中綴じ冊子を本に付属させ、本の付録とすることができる。
【発明の効果】
【００１０】
本発明に係る中綴じ冊子によれば、記録ディスクに局部的な圧力を加えることなく、記録ディスク全体を露出させずに収納することができる。
【発明を実施するための最良の形態】
【００１１】
以下、図面を参照しながら、本発明の好適な実施形態について説明する。
【００１２】
図１は本実施形態に係る中綴じ冊子の一例を開いた状態で示す平面図、図２はジャケットの展開図、図３はジャケットを収納状態で示す平面図、図４はジャケットに本文を中綴じする様子を示す説明図である。
【００１３】
図１及び図４に示すように、中綴じ冊子１は、記録ディスクＤを収容するジャケット２に本文３が中綴じされた冊子である。ジャケット２は、図２に示す一枚の長方形の形状をした用紙から形成される。このジャケット２は、第１紙片体４、第２紙片体５、背部１２、第３紙片体６から構成され、これらは一方向に連接されている。第１〜第３紙片体４，５，６は、略同じ大きさである。また、第１紙片体４にはその端部にフラップ８が延設され、第３紙片体６にはその端部に糊付け片１３が延設されている。
【００１４】
第１紙片体４と第２紙片体５との境界には、押し罫ａが形成されている。また、第１紙片体４と第２紙片体５の上下には、それぞれ第１紙片体４と第２紙片体５とにわたって押し罫ｂ，ｃが形成されている。これら第１紙片体４及び第２紙片体５の押し罫ｂ，ｃより外側の領域は、第１紙片体４を第２紙片体５に対して押し罫ａで折り曲げたときの接着領域４ａ，５ａとなっている。その一方、第１紙片体４及び第２紙片体５の押し罫ｂ，ｃより内側の領域は、記録ディスクＤ全体を収容するための収納領域となる。
【００１５】
第１紙片体４の端部付近には、押し罫ｂから押し罫ｃにかけて押し罫ａと平行にジッパー９が形成されており、さらに、ジッパー９の端部から押し罫ｂ，ｃに沿って外側にかけて破断線１１が形成されている。また、フラップ８の幅は押し罫ｂ，ｃ間の長さ、すなわちジッパー９の長さとなっており、フラップ８と第１紙片体４との境界には、折り目線ｄが形成されている。
【００１６】
第２紙片体５と第３紙片体６との間には背部１２が設けられている。この背部１２の幅は、記録ディスクＤの厚さと本文３の厚さを加えた長さとなっている。第２紙片体５と背部１２との境界には押し罫ｅが形成され、背部１２と第３紙片体６との境界には押し罫ｆが形成されており、折り目を形成しやすくなっている。なお、背部１２の幅は適宜調整されるものであり、また特に問題なければ背部１２は設けなくともよい。
【００１７】
糊付け片１３は、第３紙片体６の背部１２とは反対側の端部に形成されており、この糊付け片１３に糊付けして本の任意の頁に貼り付けることができるようになっている。糊付け片１３と第３紙片体６との境界には、本から中綴じ冊子１を取り外し易いように、ミシン目ｇが形成されている。これにより、中綴じ冊子１を本に付属させ、本の付録とすることができる。なお、この糊付け片１３は必要に応じて形成すればよいもので、形成しなくともよい。
【００１８】
図３に示すように、第１紙片体４を第２紙片体５に対して押し罫ａで折り込み、重なり合う接着領域４ａ，５ａ同士を接着することにより、記録ディスクＤを収納するためのポケット状の収納部が形成される。このポケット状の収容部は、記録ディスクＤ全体を収納する大きさであるため、収納された記録ディスクＤに局部的な圧力が加えられることはなく、記録ディスクＤ全体が露出されずに収納される。また、フラップ８は、記録ディスクＤが収納部から脱落しないように、記録ディスクＤが収納された状態で、第２紙片体５側に折り目線ｄで折り曲げられる。
【００１９】
さらに、図４に示すように、ジャケット２の背部１２に対して、複数枚の用紙が重ね合わされた本文３を、その中央で綴じ金具１４，１４により中綴じする。このようにして、中綴じ冊子１が作製される。本文３には、記録ディスクＤに記録された情報に関連する情報を印刷して表示させるとよい。
【００２０】
このように本実施形態によれば、ポケット状に形成された収納部に記録ディスクＤが収納されるため、記録ディスクＤに局部的な圧力がかかることもなく、記録ディスクＤ全体を露出させずに収納することができる。また、第１紙片体４に形成されたジッパー９を剥がしてから、破断線１１の間の部分をフラップ８とともに除去することによって開封し、収納部の記録ディスクＤを簡易に取り出すことができる。さらに、第１紙片体４から延設されたフラップ８が第２紙片体５側に折曲げられていることで、記録ディスクＤが収納部から脱落するのを防止することができる。また、本文３に、記録ディスクＤに記録された情報に関連する情報を印刷して表示すれば、本文３を参照することで記録ディスクＤに記録された情報を把握することができる。
【００２１】
以上、本発明の実施の形態について詳細に説明してきたが、本発明による中綴じ冊子は、上記実施の形態に何ら限定されるものではなく、本発明の趣旨を逸脱しない範囲において種々の変更が可能であることは当然のことである。
【００２２】
例えば、フラップ８を設ける代わりに、収納部に記録ディスクＤが収納された状態で、第１紙片体４の端部が第２紙片体５に接着することで、記録ディスクＤの収納部からの脱落を防止してもよい。
【００２３】
また、糊付け片１３は、本の任意の頁に貼り付けて中綴じ冊子１を本に添付するための紙片であったが、中綴じ冊子１を本に無線綴じするための紙片として用いてもよい。この構成によっても、中綴じ冊子１を本に付属させ、本の付録とすることができる。
【図面の簡単な説明】
【００２４】
【図１】本発明に係る中綴じ冊子の一例を開いた状態で示す平面図である。
【図２】ジャケットの展開図である。
【図３】ジャケットを収納状態で示す平面図である。
【図４】ジャケットに本文を中綴じする様子を示す説明図である。
【符号の説明】
【００２５】
１…中綴じ冊子、２…ジャケット、３…本文、４…第１紙片体、４ａ…接着領域、５…第２紙片体、５ａ…接着領域、６…第３紙片体、８…フラップ、９…ジッパー、１１…破断線、１２…背部、１３…糊付け片、１４…綴じ金具、Ｄ…記録ディスク。
【図１】
2008155445.tif 000003
【図２】
2008155445.tif 000004
【図３】
2008155445.tif 000005
【図４】
2008155445.tif 000006